(57)【要約】      （修正有）【課題】ユーザが電話機のテンキーを電卓のテンキーと同様に操作しても正確にテンキーを押し下げることのできるようにしたキー変換機構を提供する。【解決手段】  卓上型電子計算機におけるテンキー操作を電話機におけるテンキー操作に変換する変換機構であって、電話機のテンキー１２上に被せられるベース２１と、該ベースに押下げ可能に支持され、卓上型電子計算機におけるテンキー配列を有する操作テンキー２２と、上記ベースに支持され、上記操作テンキーと対応する電話機のテンキーとを相互に連携するレバー機構２３Ａ〜２３Ｆと、を備える。【選択図】 図３
0003151482.tif 000002
【実用新案登録請求の範囲】
【請求項１】
卓上型電子計算機におけるテンキー操作を電話機におけるテンキー操作に変換する変換機構であって、
電話機のテンキー上に被せられるベースと、
該ベースに押下げ可能に支持され、卓上型電子計算機におけるテンキー配列を有する操作テンキーと、
上記ベースに支持され、上記操作テンキーと対応する電話機のテンキーとを相互に連携するレバー機構と、
を備えたことを特徴とする電話機のキー変換機構。
【請求項２】
上記レバー機構は、
操作キーの下方にて上下動可能に設けられ、操作キーの押下にて押し下げられる受けロッドと、
操作キーに対応する電話機のキーの上方にて上下動可能に設けられ、電話機のキーを押し下げる押下げロッドと、
一方の外端部が上記受けロッドに、他方の外端部が押下げロッドに連結され、両方の内端部が上下動可能に連結され、各々の中間がベースに回転可能に支持され、操作キーの押下によって対応する電話機のキーの押下に変換する一対のレバーと、
から構成されている請求項１記載の電話機のキー変換機構。
【考案の詳細な説明】
【技術分野】
【０００１】
この考案は電話機のキー変換機構に関し、特にユーザが電話機のテンキーを卓上電子計算機（以下、電卓という）のテンキーと同様に入力しても正確にテンキーを押し下げることのできるようにした機構に関する。
【背景技術】
【０００２】
例えば、電卓操作を習熟すると、電卓のテンキーを見ないで指の感覚でもって、いわゆるブラインドタッチで迅速にテンキーを押し下げ、数字を入力することができるようになる。他方、電卓操作を習熟したユーザが電話機のテンキーを操作する場合、電卓と同様に電話機のブラインドタッチでテンキーを操作してしまい、誤った番号を入力してしまうことがある。
【０００３】
これに対し、電卓のテンキー配列を電話機のテンキー配列に変換することが提案されている（特許文献１）。
【先行技術文献】
【特許文献】
【０００４】
【特許文献１】実用新案登録第３０６２４７２号公報
【考案の概要】
【考案が解決しようとする課題】
【０００５】
しかし、特許文献１の方法ではテンキー配列の異なる電卓を製造する必要があり、コスト高になるばかりでなく、古いタイプの電卓のテンキー操作を習熟したユーザーには電話機のキー操作をブラインドタッチで誤操作するおそれが依然として残る。
【０００６】
本考案はかかる問題点に鑑み、電卓のテンキー操作を習熟したユーザが電話機のテンキーをブラインドタッチで操作しても誤りなく数字を入力できるようにした電話機のキー変換機構を提供することを課題とする。
【課題を解決するための手段】
【０００７】
そこで、本考案に係る電話機のキー変換機構は、電卓におけるテンキー操作を電話機におけるテンキー操作に変換する変換機構であって、電話機のテンキー上に被せられるベースと、該ベースに押下げ可能に支持され、卓上型電子計算機におけるテンキー配列を有する操作テンキーと、上記ベースに支持され、上記操作テンキーと対応する電話機のテンキーとを相互に連携するレバー機構と、を備えたことを特徴とする。
【０００８】
本考案の特徴の１つはレバー機構によって電卓のテンキー操作を電話機のテンキー操作に変換するようにした点にある。
【０００９】
これにより、特許文献１記載の方法のように、新たに電卓のテンキーの配列を変更する必要がなく、又古い電卓のテンキーに慣れたユーザもブラインドタッチで電話機のテンキーを正確に操作でき、誤った数字を入力することもない。
【００１０】
レバー機構は操作テンキーと対応する電話機のテンキーとを相互に連携できればどのような機構でもよい。
【００１１】
具体的には、レバー機構は、操作キーの下方にて上下動可能に設けられ、操作キーの押下にて押し下げられる受けロッドと、操作キーに対応する電話機のキーの上方にて上下動可能に設けられ、電話機のキーを押し下げる押下げロッドと、一方の外端部が上記受けロ
ッドに、他方の外端部が押下げロッドに連結され、両方の内端部が上下動可能に連結され、各々の中間がベースに回転可能に支持され、操作キーの押下によって対応する電話機のキーの押下に変換する一対のレバーと、から構成されることができる。
【図面の簡単な説明】
【００１２】
【図１】本考案に係るキー変換機構の好ましい実施形態を備えた電話機を示す図である。
【図２】電話機のテンキー配列を示す図である。
【図３】キー変換機構の動作を示す図である。
【考案を実施するための形態】
【００１３】
以下、本考案を図面に示す具体例に基づいて詳細に説明する。図１ないし図３は本考案に係る電話機のキー変換機構の好ましい実施形態を示す。図において、電話機１０のテンキー１１は図２に示されるように、上段に“１”、“２”、“３”の数字のキー、中段に“４”、“５”、“６”の数字のキー、下段に“７”、“８”、“９”の数字のキーが配列されている。
【００１４】
このテンキー１２の上には本例のキー変換機構２０が被せられている。このキー変換機構２０はベース２１、操作キー２２及びレバー機構２３から構成されている。操作キー２２は電卓におけるテンキー配列を有し、ベース２１のキー穴に嵌め込まれ、可撓性シート、例えばゴムシート２１Ａによって受けられて上下動可能に設けられている。
【００１５】
レバー機構２３は受けロッド２３Ａ、操作ロッド２３Ｂ及び一対のレバー２３Ｃ、２３Ｄによって構成され，受けロッド２３Ａは操作キー２２の下方にて上下動可能に設けられ、押下げロッド２３Ｂは操作キー２２に対応する電話機のキーの上方にて上下動可能に設けられ、一対のレバー２３Ｃ、２３Ｄは一方の外端部が受けロッド２３Ａに、他方の外端部が押下げロッド２３Ｂに連結され、両方の内端部が上下動可能に連結され、各々の中間２３Ｅ、２３Ｆがベース２１に回転可能に支持されている。
【００１６】
例えば、電卓のテンキー２２において、“１”のキー２２Ａを押すと、その動きは受けロッド２３Ａに伝えられ、受けロッド２３Ａが下方に変位する。すると、レバー２３Ｃが中間の支点２３Ｅ廻りに傾動し、他方のレバー２３Ｄも中間の支点２３Ｆ廻りに傾動し、電話機１０の“１”のキー１２Ａが押し下げられ、こうして操作キー２２の押下げによって対応する電話機のキー１２の押下げに変換することができる。
【００１７】
“２”と“８”、“３”と“９”のキーについても同様に、レバー機構２３が設けられ、キー入力を変換することができるようになっている。
【００１８】
従って、電卓操作に慣れたユーザがブラインドタッチで電話機１０のキー操作を行っても正確に数字を入力できる。
【符号の説明】
【００１９】
１０      電話機
１２      テンキー
２０      キー変換機構
２１      ベース
２２      操作キー
２３      レバー機構
【図１】
0003151482.tif 000003
【図２】
0003151482.tif 000004
【図３】
0003151482.tif 000005